(57)【要約】【課題】操作部の隙間から侵入する異物が、操作部電子基板実装部品の動作を妨げることがない画像形成装置を提供すること。【解決手段】電子基板上にスイッチと共に実装されるスイッチを覆うカバーを有し、ユーザーが操作するキーの形状は前記カバーより大きいつばを具備する形状で構成された操作部にすることで、操作部の隙間から侵入する異物の侵入経路を延長し、スイッチの動作を良好にすることを可能とした。【選択図】図６
2019040743.tif 000002
【特許請求の範囲】
【請求項１】
装置の操作を行う操作部（１０１）を有し、前記操作部が装置本体に支持された画像形成装置（１００）において、
前記操作部は外装カバー（１０６）と、装置の操作を行うキー（１０２）と、前記キー（１０２）が動作したことを装置本体に伝達する、キー（１０２）の押下方向に備えたスイッチ（１０４）と、電子基板（１０３）と、を備え、
前記電子基板（１０３）上に設置されたスイッチ（１０４）は、カバー（１０５）によって側面及び下面を覆われており、
前記キー（１０２）は、カバー（１０５）およびスイッチ（１０４）の外形を上面から見て覆い隠す形状を備えて構成されていることを特徴とする操作キーを備えた画像形成装置。
【請求項２】
キー（１０２）部材は、つば部（１０２ａ）を有したことを特徴とする請求項１に記載の画像形成装置。
【請求項３】
キー（１０２）部材は、つば部（１０２ａ）を有し、つばからさらにキー（１０２）の押下方向に、カバー部材（１０５）を覆う形状（１０２ｂ）を有したことを特徴とする請求項１に記載の画像形成装置。
【請求項４】
カバー部材（１０５）はスイッチ（１０４）と共に電子基板（１０３）上に実装されスイッチ（１０４）によって、位置決めと固定がなされることを特徴とする請求項１乃至請求項３の何れか一項に記載の画像形成装置。
【発明の詳細な説明】
【技術分野】
【０００１】
本発明は、画像を形成して記録媒体に記録する画像形成部を有する複写機、ファクシミリ、多機能プリンタ等の画像形成装置および画像読取装置に関する。
【背景技術】
【０００２】
複写機やレーザビームプリンタ等の電子写真方式の画像形成装置では、装置の表面に操作パネル部が搭載されている。
【０００３】
通常、画像形成装置の操作パネル部は、外部に露出して設置されているため、塵・埃・紙粉などの異物が操作パネル部上面に堆積してしまう。
【０００４】
その場合、操作パネル表面に堆積した塵・埃・紙粉などの異物が操作パネルに設けられた、キー周辺に形成される穴部から操作パネル内部に侵入してしまう。操作パネル内部に設けられた電子基板上に設置されたスイッチ内部の接点部に異物が入り、接点不良が発生し、故障の原因となった。
【０００５】
画像形成装置の操作パネル部表面に塵・埃・紙粉などの異物が堆積することを防止する方法として、特許文献１に示すファクシミリ装置のように、操作パネル部上面をトレイで覆って埃よけとする手段が提案されている。
【０００６】
特許文献１に示す構成を備えたファクシミリ装置の断面図を図８に示す。特許文献１に提案されている構成をとることで、操作パネル部表面への塵・埃・紙粉などの異物の堆積を防止し、装置内部への異物の侵入を防ぐことで装置の故障を防止することができる。
【先行技術文献】
【特許文献】
【０００７】
【特許文献１】特開２００８−１１４６６号公報
【発明の概要】
【発明が解決しようとする課題】
【０００８】
しかしながら、上記のファクシミリ装置の場合、トレイを原稿供給台として使用する場合、操作パネル表面は露出するため、塵・埃・紙粉などの異物が堆積することを防止できない。
【０００９】
また、トレイ使用後にトレイを収納しなかった場合、操作部表面を覆う役割を果たさないため、操作パネル表面に塵・埃・紙粉などの異物が堆積することを防止できず、カバーやキー周辺に形成される穴部からの隙間から、操作部内に塵・埃・紙粉等、小粒子系の異物が侵入してしまう恐れがある。
【課題を解決するための手段】
【００１０】
上記の課題を解決するために、本発明に係る画像形成装置は、
装置の操作を行う操作部（１０１）を有し、前記操作部が装置本体に支持された画像形成装置（１００）において、
前記操作部は外装カバー（１０６）と、装置の操作を行うキー（１０２）と、前記キー（１０２）が動作したことを装置本体に伝達する、キー（１０２）の押下方向に備えたスイッチ（１０４）と、電子基板（１０３）と、を備え、
前記電子基板（１０３）上に設置されたスイッチ（１０４）は、カバー（１０５）によって側面及び下面を覆われており、
前記キー（１０２）は、カバー（１０５）およびスイッチ（１０４）の外形を上面から見て覆い隠す形状を備えて構成されていることを特徴とする。
【発明の効果】
【００１１】
本発明に係る画像形成装置によれば、操作パネル内部の基板に設置されたスイッチ内部への異物の侵入を防止でき、故障の発生がなく、装置本体の状態を良好に保つことが可能となる。
【図面の簡単な説明】
【００１２】
【図１】操作部を有した画像形成装置の全体図
【図２】本実施例である操作パネル部の構成図
【図３】本実施例である操作部のキー部を示す部分的な斜視図
【図４】本実施例である操作部の断面図
【図５】本実施例である操作部の断面図
【図６】本実施例である操作部の断面図
【図７】従来の操作部のキー部材およびスイッチの配置を示す図
【図８】従来例の画像形成装置を示す図
【発明を実施するための形態】
【００１３】
以下に、本発明の実施の形態を、図面を参照しながら具体的に説明をする。
【実施例１】
【００１４】
（画像読取装置の概略構成の説明）
図１を用いて操作部を使用した画像形成装置の動作と操作部の位置関係を説明する。なお、画像形成装置単体の動作については広く知られた装置により、説明を省略する。
【００１５】
電子写真方式の画像形成装置（１００）では、装置の表面に操作パネル部（１０１）が搭載されている。通常、操作パネル部は、外部に露出して設置されている。
【００１６】
操作部は搭載される画像形成装置によって位置や角度が変更できるものもある。
【００１７】
（操作パネル部の概略構成の説明）
図２は、本発明の実施の形態である操作パネル部の構成図である。図３は電子基板（１０３）における一つのキー（１０２）を示す部分的な斜視図である。
【００１８】
操作パネル部は外装カバー（１０６）とキー（１０２）、表示部ユニット（１０９）から構成される。
【００１９】
キー（１０２）は外装カバー（１０６）に設けられた突起形状（１０６ａ）にキーに設けた穴形状（１０２ｃ）を嵌合させることで外装カバー（１０６）に対し位置が固定される。
【００２０】
また、電子基板（１０３）は外装カバー（１０６）に対して不図示のビスにより固定されている。
【００２１】
ユーザーが画像形成装置（１００）に対して操作を行う場合、ユーザーは操作部（１０１）に配置されているキー（１０２）を押圧し、それによって操作部（１０１）内部の電子基板（１０３）に配置されたスイッチ（１０４）（本実施例ではタクトスイッチとする）が押圧され、画像形成装置（１００）に信号が発信される。
【００２２】
（本発明の特徴部分の説明）
本発明の特徴部分の説明を、図４〜７を用いて説明する。
【００２３】
図４に示すように電子基板（１０３）に設置されたスイッチ（１０４）の側面を囲う筒状のカバー（１０５）が、電子基板（１０３）上に配置されている。カバー（１０５）は電子基板（１０３）上にスイッチ（１０４）と共に実装され、スイッチ（１０４）によって電子基板（１０３）に対して位置決めと固定が行われる。本実施例の形態では、カバー（１０５）の電子基板（１０３）に対する位置および固定を、スイッチ（１０４）によって行うが、両面テープや接着等で行ってもよい。
【００２４】
また、カバー（１０５）の電子基板（１０３）への位置の固定は、カバー（１０５）に設けたボス形状を、電子基板（１０３）に設けた穴形状に嵌合させることで位置を決めてもよい。
【００２５】
キー部材（１０２）は、カバー（１０５）の外形を覆う筒状の形状（１０２ｄ）を有し、これによりカバー（１０５）の側面およびスイッチ（１０４）の上面を覆っている。
【００２６】
図７は、従来のキー（１０２）とスイッチ（１０４）の配置構成を示す。
【００２７】
図４に示すような構成をとることで、侵入した異物がスイッチ（１０４）への到達に要する距離（Ａ）を大きくとることが可能となりスイッチ（１０４）への異物（１０８）の侵入を防ぐことができる。
【００２８】
図５に示すように、キー（１０２）にカバー（１０５）よりも略大きいつば部（１０２ａ）を設けることで、同効果を得られる。
【００２９】
図６に示すように、キーのつば（１０２ａ）にさらに電子基板（１０３）側にカバーを覆う形状（１０２ｂ）を設けることで、より大きな効果が得られる。
【符号の説明】
【００３０】
１００  画像形成装置、１０１  操作部、１０２  キー、
１０２ａ  キーに設けたつば部、
１０２ｂ  キーに設けたつばから伸び、カバーを覆う形状、
１０２ｃ  キーに設けた穴形状、
１０２ｄ  キーに設けたカバー部材の外形を覆う筒状の形状、
１０３  電子基板、１０４  スイッチ、１０５  カバー部材、
１０６  外装カバー部材、１０６ａ  外装カバー部材に設けられた突起形状、
１０７  キーと操作部カバーとの隙間、１０８  異物、１０９  表示部ユニット、
Ａ  異物侵入経路
【図１】
2019040743.tif 000003
【図２】
2019040743.tif 000004
【図３】
2019040743.tif 000005
【図４】
2019040743.tif 000006
【図５】
2019040743.tif 000007
【図６】
2019040743.tif 000008
【図７】
2019040743.tif 000009
【図８】
2019040743.tif 000010